(57)【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、
ズーミングに際して各レンズ群の間隔が変化するズームレンズにおいて、
前記第１レンズ群は１つの負レンズを含む３つのレンズから構成され、前記第１レンズ群に含まれる負レンズの材料の部分分散比をθｇＦ、アッベ数をνｄ、広角端における全系の焦点距離をｆＷ、前記第１レンズ群の焦点距離をｆ１とするとき、
３５．０＜νｄ＜５０．０
０．５２＜θｇＦ
θｇＦ＜−０．００２０３×νｄ＋０．６５６
１８．６５７≦ｆ１／ｆＷ＜３０．０
なる条件を満足することを特徴とするズームレンズ。
【請求項２】
広角端における前記第２レンズ群の横倍率をβ２Ｗ、望遠端における前記第２レンズ群の横倍率をβ２Ｔ、広角端における前記第３レンズ群の横倍率をβ３Ｗ、望遠端における前記第３レンズ群の横倍率をβ３Ｔとするとき、
２．８＜（β２Ｔ・β３Ｗ）／（β２Ｗ・β３Ｔ）＜６．５
なる条件を満足することを特徴とする請求項１に記載のズームレンズ。
【請求項３】
前記第３レンズ群の焦点距離をｆ３とするとき、
３．５＜ｆ３／ｆＷ＜６．５
なる条件を満足することを特徴とする請求項１又は２に記載のズームレンズ。
【請求項４】
前記第１レンズ群は、物体側より像側へ順に、負レンズ、正レンズ、正レンズからなることを特徴とする請求項１乃至３のいずれか１項に記載のズームレンズ。
【請求項５】
前記第１レンズ群に含まれる負レンズの材料の屈折率をｎｄとするとき、
１．７５＜ｎｄ＜２．１０
なる条件を満足することを特徴とする請求項１乃至４のいずれか１項に記載のズームレンズ。
【請求項６】
前記第２レンズ群と前記第３レンズ群の間に、ズーミングに際して各レンズ群とは異なる軌跡で移動する開口絞りを有することを特徴とする請求項１乃至５のいずれか１項に記載のズームレンズ。
【請求項７】
前記第１レンズ群と前記第２レンズ群と前記第３レンズ群はズーミングに際して移動することを特徴とする請求項１乃至６のいずれか１項に記載のズームレンズ。
【請求項８】
無限遠物体から近距離物体へのフォーカシングに際して、前記第５レンズ群が物体側へ移動することを特徴とする請求項１乃至７のいずれか１項に記載のズームレンズ。
【請求項９】
物体側より像側へ順に、正の屈折力の第１レンズ群、負の屈折力の第２レンズ群、正の屈折力の第３レンズ群、１以上のレンズ群を含む後群より構成され、
ズーミングに際して各レンズ群の間隔が変化するズームレンズにおいて、
前記第１レンズ群は１つの負レンズを含む３つのレンズから構成され、前記第２レンズ群と前記第３レンズ群の間に開口絞りを有し、前記第１レンズ群に含まれる負レンズの材料の部分分散比をθｇＦ、アッベ数をνｄ、広角端における全系の焦点距離をｆＷ、前記第１レンズ群の焦点距離をｆ１、前記第２レンズ群の像側のレンズ面と前記開口絞りの広角端における間隔をＤ２、前記開口絞りと第３レンズ群の物体側のレンズ面との広角端における間隔をＤ３とするとき、
３５．０＜νｄ＜５０．０
０．５２＜θｇＦ
θｇＦ＜−０．００２０３×νｄ＋０．６５６
１５．０＜ｆ１／ｆＷ＜３０．０
１．０＜Ｄ２／Ｄ３＜５．０
なる条件を満足することを特徴とするズームレンズ。
【請求項１０】
前記第１レンズ群は、広角端から望遠端へのズーミングに際して、像側へ移動したのち物体側へ移動することを特徴とする請求項９に記載のズームレンズ。
【請求項１１】
前記開口絞りは、ズーミングに際して各レンズ群とは異なる軌跡で移動することを特徴とする請求項９又は１０に記載のズームレンズ。
【請求項１２】
物体側より像側へ順に、正の屈折力の第１レンズ群、負の屈折力の第２レンズ群、正の屈折力の第３レンズ群、１以上のレンズ群を含む後群より構成され、
ズーミングに際して各レンズ群の間隔が変化するズームレンズにおいて、
前記第１レンズ群は１つの負レンズを含む３つのレンズから構成され、前記第１レンズ群は、広角端から望遠端へのズーミングに際して、像側へ移動したのち物体側へ移動し、
前記第１レンズ群に含まれる負レンズの材料の部分分散比をθｇＦ、アッベ数をνｄ、広角端における全系の焦点距離をｆＷ、前記第１レンズ群の焦点距離をｆ１とするとき、
３５．０＜νｄ＜５０．０
０．５２＜θｇＦ
θｇＦ＜−０．００２０３×νｄ＋０．６５６
１５．０＜ｆ１／ｆＷ＜３０．０
なる条件を満足することを特徴とするズームレンズ。
【請求項１３】
前記第２レンズ群と前記第３レンズ群の間に、ズーミングに際して各レンズ群とは異なる軌跡で移動する開口絞りを有することを特徴とする請求項１２に記載のズームレンズ。
【請求項１４】
広角端における前記第２レンズ群の横倍率をβ２Ｗ、望遠端における前記第２レンズ群の横倍率をβ２Ｔ、広角端における前記第３レンズ群の横倍率をβ３Ｗ、望遠端における前記第３レンズ群の横倍率をβ３Ｔとするとき、
２．８＜（β２Ｔ・β３Ｗ）／（β２Ｗ・β３Ｔ）＜６．５
なる条件を満足することを特徴とする請求項９乃至１３のいずれか１項に記載のズームレンズ。
【請求項１５】
前記第３レンズ群の焦点距離をｆ３とするとき、
３．５＜ｆ３／ｆＷ＜６．５
なる条件を満足することを特徴とする請求項９乃至１４のいずれか１項に記載のズームレンズ。
【請求項１６】
前記第１レンズ群は、物体側より像側へ順に、負レンズ、正レンズ、正レンズからなることを特徴とする請求項９乃至１５のいずれか１項に記載のズームレンズ。
【請求項１７】
前記第１レンズ群に含まれる負レンズの材料の屈折率をｎｄとするとき、
１．７５＜ｎｄ＜２．１０
なる条件を満足することを特徴とする請求項９乃至１６のいずれか１項に記載のズームレンズ。
【請求項１８】
前記第１レンズ群と前記第２レンズ群と前記第３レンズ群はズーミングに際して移動することを特徴とする請求項９乃至１７のいずれか１項に記載のズームレンズ。
【請求項１９】
無限遠物体から近距離物体へのフォーカシングに際して、最も像側のレンズ群が物体側へ移動することを特徴とする請求項９乃至１８のいずれか１項に記載のズームレンズ。
【請求項２０】
前記後群は、正の屈折力の第４レンズ群からなることを特徴とする請求項９乃至１９のいずれか１項に記載のズームレンズ。
【請求項２１】
前記後群は、物体側より像側へ順に負の屈折力の第４レンズ群、正の屈折力の第５レンズ群からなることを特徴とする請求項９乃至１９のいずれか１項に記載のズームレンズ。 
【請求項２２】
前記後群は、物体側より像側へ順に正の屈折力の第４レンズ群、正の屈折力の第５レンズ群からなることを特徴とする請求項９乃至１９のいずれか１項に記載のズームレンズ。
【請求項２３】
請求項１乃至２２のいずれか１項のズームレンズと、該ズームレンズによって形成される像を受光する光電変換素子を有することを特徴とする撮像装置。
【発明の詳細な説明】
【技術分野】
【０００１】
本発明はズームレンズ及びそれを有する撮像装置に関し、例えばビデオカメラ、電子スチルカメラ、放送用カメラ、監視カメラ等のように固体撮像素子を用いた撮像装置、或いは銀塩フィルムを用いたカメラ等の撮像装置に好適なものである。
【背景技術】
【０００２】
近年、固体撮像素子を用いたビデオカメラ、デジタルスチルカメラ、放送用カメラ、監視カメラ、そして銀塩フィルムを用いたカメラ等の撮像装置は高機能化され、又装置全体が小型化されている。そしてそれに用いる撮影光学系としてレンズ全長が短く、コンパクト（小型）で、広画角、高ズーム比（高変倍比）のズームレンズであることが要求されている。
【０００３】
特に球面収差、コマ収差などの単色（短波長）収差の補正に加え、色収差も良好に補正された高解像力のズームレンズであることが要求されている。これらの要求に応えるズームレンズとして、物体側より像側へ順に、正、負、正の屈折力を有する第１、第２、第３レンズ群と、それに続く１つ以上のレンズ群を含む後群を有するポジティブリード型のズームレンズが知られている。
【０００４】
ポジティブリード型のズームレンズとして第１レンズ群のレンズの材料に異常分散材料を使用し、色収差（２次スペクトル）を良好に補正したズーム比１０程度のズームレンズが知られている（特許文献１）。またポジティブリード型のズームレンズとして、物体側より像側へ順に、正、負、正、正の屈折力の４つのレンズ群より成るズーム比９６程度、広角端の撮影画角６２度程度のズームレンズが知られている（特許文献２）。
【０００５】
また物体側より順に正、負、正、負、正の屈折力のレンズ群より成る５群構成ズームレンズにおいて第１レンズ群に異常分散性を有する材料より成るレンズを用いたズームレンズが知られている（特許文献３）。この他、物体側より像側へ順に正、負、正、正、正の屈折力、又は正、負、正、正、負の屈折力、又は正、負、正、負、正の屈折力の５つのレンズ群より成るズーム比２４程度、広角端の撮影画角７７度程度のズームレンズが知られている（特許文献４）。
【先行技術文献】
【特許文献】
【０００６】
【特許文献１】特開２００２−６２４７８号公報
【特許文献２】特開２００８−２８１９２７号公報
【特許文献３】特開２００６−３４９９４７号公報
【特許文献４】特開２００４−１１７８２６号公報
【発明の概要】
【発明が解決しようとする課題】
【０００７】
ポジティブリード型のズームレンズは全系の小型化を図りつつ、高ズーム比化を図ることが比較的容易である。ポジティブリード型のズームレンズにおいて所定のズーム比を維持しつつ、全系を小型化するためには、ズームレンズを構成する各レンズ群の屈折力（光学的パワー＝焦点距離の逆数）を強めつつ、レンズ枚数を削減すれば良い。しかしながら、このようにしたズームレンズは、ズーミングに際して収差変動が大きくなり、全ズーム範囲にわたり高い光学性能を得るのが困難になる。
【０００８】
更に、各レンズ面の屈折力の増加に伴いコバ厚を確保するためにレンズ肉厚が増してしまう。特に前玉有効径が増大し、レンズ系全体の短縮が不十分になってくる。この他、ポジティブリード型のズームレンズにおいて、高ズーム比化を図ると望遠側のズーム領域において軸上色収差の二次スペクトルが多く発生してくる。ポジティブリード型のズームレンズにおいて、高ズーム比化を図りつつ全ズーム範囲にわたり高い光学性能を得るには色収差、特に２次スペクトルを軽減することが重要になってくる。
【０００９】
色収差や二次スペクトルを低減させるにはズームレンズ中の適切な位置に低分散かつ異常分散性の材料より成るレンズを用いるのが有効である。また色収差に関しては、材料特性（アッベ数や部分分散比）を基に、ズームレンズを構成する各レンズ群を最適化することが重要になってくる。
【００１０】
特に前述したポジティブリード型の４群又は５群より成るズームレンズでは正の屈折力の第１レンズ群を適切に設定しないと高ズーム比化を図ったとき、望遠側において２次スペクトルを軽減するのが困難となる。この結果、全ズーム範囲にわたり高い光学性能を得るのが困難になってくる。
【００１１】
この他、第２、第３レンズ群の結像倍率や第３レンズ群の屈折力としてズーミングに際して移動させるレンズ群等を適切に設定することが重要になってくる。これらの構成を適切に設定しないと、全系の小型化を図りつつ、広画角かつ高ズーム比で高い光学性能のズームレンズを得るのが難しくなってくる。
【００１２】
本発明は、望遠端における色収差の発生を軽減することができ、高ズーム比でズーム全域で良好な光学特性が得られるズームレンズ及びそれを有する撮像装置の提供を目的とする。
【課題を解決するための手段】
【００１３】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、
ズーミングに際して各レンズ群の間隔が変化するズームレンズにおいて、
前記第１レンズ群は１つの負レンズを含む３つのレンズから構成され、前記第１レンズ群に含まれる負レンズの材料の部分分散比をθｇＦ、アッベ数をνｄ、広角端における全系の焦点距離をｆＷ、前記第１レンズ群の焦点距離をｆ１とするとき、
３５．０＜νｄ＜５０．０
０．５２＜θｇＦ
θｇＦ＜−０．００２０３×νｄ＋０．６５６
１８．６５７≦ｆ１／ｆＷ＜３０．０
なる条件を満足することを特徴としている。
この他本発明のズームレンズは、物体側より像側へ順に、正の屈折力の第１レンズ群、負の屈折力の第２レンズ群、正の屈折力の第３レンズ群、１以上のレンズ群を含む後群より構成され、
ズーミングに際して各レンズ群の間隔が変化するズームレンズにおいて、
前記第１レンズ群は１つの負レンズを含む３つのレンズから構成され、前記第２レンズ群と前記第３レンズ群の間に開口絞りを有し、前記第１レンズ群に含まれる負レンズの材料の部分分散比をθｇＦ、アッベ数をνｄ、広角端における全系の焦点距離をｆＷ、前記第１レンズ群の焦点距離をｆ１、前記第２レンズ群の像側のレンズ面と前記開口絞りの広角端における間隔をＤ２、前記開口絞りと第３レンズ群の物体側のレンズ面との広角端における間隔をＤ３とするとき、
３５．０＜νｄ＜５０．０
０．５２＜θｇＦ
θｇＦ＜−０．００２０３×νｄ＋０．６５６
１５．０＜ｆ１／ｆＷ＜３０．０
１．０＜Ｄ２／Ｄ３＜５．０
なる条件を満足することを特徴としている。
この他本発明のズームレンズは、物体側より像側へ順に、正の屈折力の第１レンズ群、負の屈折力の第２レンズ群、正の屈折力の第３レンズ群、１以上のレンズ群を含む後群より構成され、
ズーミングに際して各レンズ群の間隔が変化するズームレンズにおいて、
前記第１レンズ群は１つの負レンズを含む３つのレンズから構成され、前記第１レンズ群は、広角端から望遠端へのズーミングに際して、像側へ移動したのち物体側へ移動し、
前記第１レンズ群に含まれる負レンズの材料の部分分散比をθｇＦ、アッベ数をνｄ、広角端における全系の焦点距離をｆＷ、前記第１レンズ群の焦点距離をｆ１とするとき、
３５．０＜νｄ＜５０．０
０．５２＜θｇＦ
θｇＦ＜−０．００２０３×νｄ＋０．６５６
１５．０＜ｆ１／ｆＷ＜３０．０
なる条件を満足することを特徴としている。
【発明の効果】
【００１４】
本発明によれば、望遠端における色収差の発生を軽減することができ、高ズーム比でズーム全域で良好な光学特性が得られるズームレンズが得られる。
【図面の簡単な説明】
【００１５】
【図１】実施例１のズームレンズの広角端のレンズ断面図
【図２】（Ａ）、（Ｂ）、（Ｃ）実施例１の広角端、中間のズーム位置、望遠端における収差図
【図３】実施例２のズームレンズの広角端のレンズ断面図
【図４】（Ａ）、（Ｂ）、（Ｃ）実施例２の広角端、中間のズーム位置、望遠端における収差図
【図５】実施例３のズームレンズの広角端のレンズ断面図
【図６】（Ａ）、（Ｂ）、（Ｃ）実施例３の広角端、中間のズーム位置、望遠端における収差図
【図７】実施例４のズームレンズの広角端のレンズ断面図
【図８】（Ａ）、（Ｂ）、（Ｃ）実施例４の広角端、中間のズーム位置、望遠端における収差図
【図９】実施例５のズームレンズの広角端のレンズ断面図
【図１０】（Ａ）、（Ｂ）、（Ｃ）実施例５の広角端、中間のズーム位置、望遠端における収差図
【図１１】実施例６のズームレンズの広角端のレンズ断面図
【図１２】（Ａ）、（Ｂ）、（Ｃ）実施例６の広角端、中間のズーム位置、望遠端における収差図
【図１３】実施例７のズームレンズの広角端のレンズ断面図
【図１４】（Ａ）、（Ｂ）、（Ｃ）実施例７の広角端、中間のズーム位置、望遠端における収差図
【図１５】本発明の撮像装置の要部概略図
【発明を実施するための形態】
【００１６】
以下に本発明の好ましい実施の形態を、添付の図面に基づいて詳細に説明する。本発明のズームレンズは、物体側から像側へ順に、正の屈折力（光学的パワー＝焦点距離の逆数）の第１レンズ群、負の屈折力の第２レンズ群、正の屈折力の第３レンズ群、１以上のレンズ群を含む後群より構成されている。ズーミングに際しては各レンズ群の間隔が変化するようにレンズ群が移動する。
【００１７】
図１は、本発明の実施例１のズームレンズの広角端（短焦点距離端）におけるレンズ断面図である。図２（Ａ）、（Ｂ）、（Ｃ）はそれぞれ実施例１のズームレンズの広角端、中間のズーム位置、望遠端（長焦点距離端）における収差図である。実施例１はズーム比４８．４、開口比２．８７〜７．０７程度のズームレンズである。
【００１８】
図３は、本発明の実施例２のズームレンズの広角端におけるレンズ断面図である。図４（Ａ）、（Ｂ）、（Ｃ）はそれぞれ実施例２のズームレンズの広角端、中間のズーム位置、望遠端における収差図である。実施例２はズーム比４８．４、開口比２．８７〜７．０７程度のズームレンズである。
【００１９】
図５は、本発明の実施例３のズームレンズの広角端におけるレンズ断面図である。図６（Ａ）、（Ｂ）、（Ｃ）はそれぞれ実施例３のズームレンズの広角端、中間のズーム位置、望遠端における収差図である。実施例３はズーム比４８．３、開口比２．８７〜７．０７程度のズームレンズである。
【００２０】
図７は、本発明の実施例４のズームレンズの広角端におけるレンズ断面図である。図８（Ａ）、（Ｂ）、（Ｃ）はそれぞれ実施例４のズームレンズの広角端、中間のズーム位置、望遠端における収差図である。実施例４はズーム比６６．１、開口比２．８７〜８．５程度のズームレンズである。
【００２１】
図９は、本発明の実施例５のズームレンズの広角端におけるレンズ断面図である。図１０（Ａ）、（Ｂ）、（Ｃ）はそれぞれ実施例５のズームレンズの広角端、中間のズーム位置、望遠端における収差図である。実施例５はズーム比６６．０、開口比２．８７〜８．４５程度のズームレンズである。
【００２２】
図１１は、本発明の実施例６のズームレンズの広角端におけるレンズ断面図である。図１２（Ａ）、（Ｂ）、（Ｃ）はそれぞれ実施例６のズームレンズの広角端、中間のズーム位置、望遠端における収差図である。実施例６はズーム比４４．６、開口比２．８７〜７．０７程度のズームレンズである。
【００２３】
図１３は、本発明の実施例７のズームレンズの広角端におけるレンズ断面図である。図１４（Ａ）、（Ｂ）、（Ｃ）はそれぞれ実施例７のズームレンズの広角端、中間のズーム位置、望遠端における収差図である。実施例７はズーム比４１．２、開口比２．８７〜７．０７程度のズームレンズである。図１５は本発明のズームレンズを備えるデジタルスチルカメラ（撮像装置）の要部概略図である。
【００２４】
各実施例のズームレンズはビデオカメラ、デジタルスチルカメラ、銀塩フィルムカメラ、ＴＶカメラなどの撮像装置に用いられる撮影レンズ系である。尚、各実施例のズームレンズは投射装置（プロジェクタ）用の投射光学系として用いることもできる。レンズ断面図において、左方が物体側（前方）で、右方が像側（後方）である。また、レンズ断面図において、ｉを物体側からのレンズ群の順番とすると、Ｌｉは第ｉレンズ群を示す。ＬＲは１以上のレンズ群を有する後群である。
【００２５】
ＳＰ１は開口絞りである。ＳＰ２はフレアーカット絞り（メカ絞り）である。Ｇは光学フィルター、フェースプレート、ローパスフィルター、赤外カットフィルターなどに相当する光学ブロックである。ＩＰは像面である。像面ＩＰは、ビデオカメラやデジタルカメラの撮影光学系としてズームレンズを使用する際には、ＣＣＤセンサやＣＭＯＳセンサなどの固体撮像素子（光電変換素子）の撮像面に相当する。銀塩フィルムカメラの撮影光学系としてズームレンズを使用する際には、フィルム面に相当する。
【００２６】
矢印は広角端から望遠端へのズーミング（変倍）に際して、各レンズ群の移動軌跡と、フォーカシングの際のレンズ群の移動方向を示している。球面収差図において、ｄはｄ線（波長５８７．６ｎｍ）、ｇはｇ線（波長４３５．８ｎｍ）である。非点収差図でＳとＭはｄ線におけるサジタル像面とメリディオナル像面である。歪曲収差はｄ線について示している。倍率色収差図においてｇはｇ線である。尚、以下の各実施例において広角端と望遠端は変倍用のレンズ群が機構上、光軸上を移動可能な範囲の両端に位置したときのズーム位置をいう。
【００２７】
各実施例はいずれも、物体側から像側へ順に、正の屈折力の第１レンズ群Ｌ１、負の屈折力の第２レンズ群Ｌ２、正の屈折力の第３レンズ群Ｌ３、そして１以上のレンズ群を有する全体として正の屈折力の後群ＬＲを有するズームレンズである。そしてズーミングに際しては、各レンズ群の間隔が変化している。後群ＬＲは、実施例１、４、５では負の屈折力の第４レンズ群Ｌ４、正の屈折力の第５レンズ群より構成されている。実施例２、６、７では、正の屈折力の第４レンズ群Ｌ４により構成されている。実施例３では正の屈折力の第４レンズ群Ｌ４、正の屈折力の第５レンズ群Ｌ５より構成されている。
【００２８】
次に各実施例のレンズ構成について説明する。実施例１、４、５のズームレンズは、物体側より像側へ順に、次のとおりである。正の屈折力の第１レンズ群Ｌ１、負の屈折力の第２レンズ群Ｌ２、開口絞りＳＰ１、正の屈折力の第３レンズ群Ｌ３、メカ絞りＳＰ２、負の屈折力の第４レンズ群Ｌ４、正の屈折力の第５レンズ群Ｌ５から構成されている。広角端から望遠端へのズーミングに際して、第１レンズ群Ｌ１は像側に凸状の軌跡で移動、第２レンズ群Ｌ２は像側に移動し、第３レンズ群Ｌ３と第４レンズ群Ｌ４は物体側に移動し、第５レンズ群は物体側に凸状の軌跡で移動している。
【００２９】
実施例１、４、５のズームレンズは、第１レンズ群Ｌ１、第２レンズ群Ｌ２、第３レンズ群Ｌ３の移動により主な変倍を行っている。第１レンズ群Ｌ１は広角端から望遠端へのズーミングに際し、物体側に位置するように移動させることで、広角端におけるレンズ全長を短縮しつつ、大きなズーム比が得られるようにしている。また、広角端から望遠端へのズーミングに際し、第１レンズ群Ｌ１を一端像側へ移動し、その後、物体側へ移動する往復軌跡をとることで、中間ズーム領域におけるレンズ全長を短くしている。
【００３０】
こうすることで、中間ズーム領域にて決まっている前玉有効径の有効領域を小さくして、前玉有効径の小型化を容易にしている。また、ズーミングに際し、広角端に比べ望遠端において第２レンズ群Ｌ２が像側に位置するように移動させることにより、第２レンズ群Ｌ２に大きな変倍効果を持たせている。また、ズーミングに際し、広角端に比べ望遠端において第３レンズ群Ｌ３が物体側に位置するように移動させることにより、第３レンズ群Ｌ３に大きな変倍効果を持たせている。
【００３１】
また、ズーミングに際し、広角端に比べ望遠端において第４レンズ群Ｌ４が物体側に位置するように移動させることにより、フォーカス用の第５レンズ群Ｌ５のフォーカススペース（フォーカシングのための移動量）を確保している。
【００３２】
第５レンズ群Ｌ５を光軸上を移動させてフォーカシングを行うリヤフォーカス式を採用している。また、開口絞りＳＰ１を広角端から望遠端のズーミングに際し、独立に（他のレンズ群と異なる移動軌跡で）移動させることにより、前玉有効径の小型化を図っている。また、広角端にて開口絞りＳＰ１を物体側に配置し、広角端から望遠端へのズーミングに際して像側に凸状の軌跡を有するように移動させることにより、広画角化を図る際の前玉有効径の小型化を図っている。
【００３３】
メカ絞りＳＰ２は開口径が一定であり、ズーミングに際して第３レンズ群Ｌ３と一体的に移動しており、ズーミングにおける軸外光線の上線のフレアーを効果的にカットしている。そして、第５レンズ群Ｌ５を移動させて変倍に伴う像面変動を補正すると共に、フォーカシングを行っている。ズーミングにおける第５レンズ群Ｌ５の移動軌跡を物体側に凸状とすることで、第４レンズ群Ｌ４と第５レンズ群Ｌ５の空間の有効利用を図り、レンズ全長を効果的に短縮している。
【００３４】
レンズ断面図において第５レンズ群Ｌ５に関する実線の曲線５ａと点線の曲線５ｂは、各々無限遠物体と近距離物体にフォーカスしているときの変倍に伴う像面変動を補正するための移動軌跡である。また望遠端において、無限遠物体から近距離物体へフォーカスを行う場合には、矢印５ｃに示す如く第５レンズ群Ｌ５を前方（物体側）に繰出すことで行っている。
【００３５】
本実施例２、６、７のズームレンズは、物体側より像側へ順に、正の屈折力の第１レンズ群Ｌ１、負の屈折力の第２レンズ群Ｌ２、開口絞りＳＰ１、正の屈折力の第３レンズ群Ｌ３、メカ絞りＳＰ２、正の屈折力の第４レンズ群Ｌ４から構成されている。広角端から望遠端へのズーミングに際して、第１レンズ群Ｌ１は像側に凸状の軌跡で移動、第２レンズ群Ｌ２は像側に移動し、第３レンズ群Ｌ３は物体側に移動し、第４レンズ群Ｌ４は物体側に凸状の軌跡で移動している。
【００３６】
実施例２、６、７のズームレンズにおいては、第１レンズ群Ｌ１、第２レンズ群Ｌ２、第３レンズ群Ｌ３の光学作用は前述した実施例１、４、５と同じである。第４レンズ群Ｌ４を光軸上を移動させてフォーカシングを行うリヤフォーカス式を採用している。また、開口絞りＳＰ１を広角端から望遠端のズーミングに際し、独立に移動させることにより、前玉有効径の小型化を図っている。また、広角端にて開口絞りＳＰ１を物体側に配置し、ズーミングに際して像側に凸状の軌跡を有するように移動させることにより、広画角化を図る際の前玉有効径の小型化を図っている。
【００３７】
メカ絞りＳＰ２は第３レンズ群Ｌ３と一体的に移動しており、ズーミングにおける軸外光線の上線のフレアーを効果的にカットしている。そして、第４レンズ群Ｌ４を移動させて変倍に伴う像面変動を補正すると共に、フォーカシングを行っている。レンズ断面図において第４レンズ群Ｌ４に関する実線の曲線４ａと点線の曲線４ｂは、各々無限遠物体と近距離物体にフォーカスしているときの変倍に伴う像面変動を補正するための移動軌跡である。また望遠端において、無限遠物体から近距離物体へフォーカスを行う場合には、矢印４ｃに示す如く第４レンズ群Ｌ４を前方に繰出すことで行っている。
【００３８】
実施例３のズームレンズは、物体側より像側へ順に次のとおりである。正の屈折力の第１レンズ群Ｌ１、負の屈折力の第２レンズ群Ｌ２、開口絞りＳＰ１、正の屈折力の第３レンズ群Ｌ３、メカ絞りＳＰ２、正の屈折力の第４レンズ群Ｌ４、正の屈折力の第５レンズ群Ｌ５から構成されている。
【００３９】
広角端から望遠端へのズーミングに際して、第１レンズ群Ｌ１は像側に凸状の軌跡で移動、第２レンズ群Ｌ２は像側に移動し、第３レンズ群Ｌ３と第４レンズ群Ｌ４は物体側に移動し、第５レンズ群Ｌ５は物体側に凸状の軌跡で移動している。実施例３は実施例１、４、５に比べて第４レンズ群Ｌ４の屈折力の符号が異なっている。実施例３のズームレンズにおいては、第１レンズ群Ｌ１乃至第５レンズ群Ｌ５の光学作用は前述した実施例１、４、５と同じである。また、開口絞りＳＰ１やメカ絞りＳＰ２の光学作用も実施例１、４、５と同じである。
【００４０】
一般に光学ガラス（光学材料）の光学特性を示すとき縦軸に部分分散比θｇＦが上方向に大きな値となるように、またアッベ数を横軸に左方向が大きな値となるようにとったグラフ（以下「θｇＦ−νｄ図」と呼ぶ）上にマッピングさせる。そうすると光学材料は、ノーマルラインと呼ばれる直線に沿って分布することが知られている（ここで部分分散比θｇＦは、ｇ線の屈折率をｎｇ、Ｆ線の屈折率をｎＦ、Ｃ線の屈折率をｎＣとしたときθｇＦ＝（ｎｇ−ｎＦ）／（ｎＦ−ｎＣ）で表される量である。）。
【００４１】
一般的に長焦点距離化されたポジティブリード型のズームレンズにおいて、軸上光線は第１レンズ群で最も高い位置を通るため、軸上色収差の二次スペクトルが多く発生しやすい。この第１レンズ群において、軸上色収差の二次スペクトルを補正するためには、θｇＦ−νｄ図において、第１レンズ群を構成する正レンズと負レンズの材料を結んだ直線の傾きを緩くすることが有効である。
【００４２】
例えば、蛍石のようにアッベ数が大きく、θｇＦ−νｄ図においてノーマルラインから部分分散比θｇＦが大きくなる方向の離れた領域にある材料を第１レンズ群内の正レンズに用いる。さらに、ランタン系の材料のように、θｇＦ−νｄ図においてノーマルラインからθｇＦが小さくなる方向の領域にある材料を第１レンズ群内の負レンズに用いる。このような組み合わせを用いると第１レンズ群内での正レンズと負レンズの材料を結ぶ直線の傾きがノーマルラインよりも大幅に緩くなり、これによれば軸上色収差の二次スペクトルを良好に補正するのが容易になる。
【００４３】
しかしながら、単にこのような材料をズームレンズに使用するだけでは、全ズーム範囲にわたり、高い光学性能を得ることは難しい。このような、ノーマルラインから離れた領域にある材料よりなるレンズを用いて、高ズーム比化とレンズ系全体の小型化を図るには、ズームタイプ、各レンズ群の屈折力、各レンズ群内のレンズの屈折力、レンズ構成などを適切に設定する必要がある。特にポジティブリード型のズームレンズで全系の小型化を図りつつ、高ズーム比化を図るには、第１レンズ群中のレンズの材料の屈折率とアッベ数等を適切に設定することが重要となってくる。
【００４４】
各実施例では第１レンズ群にθｇＦ−νｄ図においてノーマルラインから大きく離れた領域にある材料を適切に用いることにより、高ズーム比化による軸上色収差の二次スペクトルと良好に補正し、全ズーム範囲に渡り高い光学性能を得ている。
【００４５】
次に各実施例のズームレンズにおいて、広画角、高ズーム比で高い光学性能を有した小型のズームレンズを得るため、好ましい条件について説明する。各実施例において、第１レンズ群Ｌ１は１つの負レンズを含む３つのレンズから構成されている。第１レンズ群Ｌ１の負レンズの材料の部分分散比をθｇＦ、アッベ数をνｄ、広角端における全系の焦点距離をｆＷ、第１レンズ群Ｌ１の焦点距離をｆ１とする。
【００４６】
このとき、
３５．０＜νｄ＜５０．０                      ・・・（１）
０．５２＜θｇＦ                              ・・・（２）
θｇＦ＜−０．００２０３×νｄ＋０．６５６    ・・・（３）
１５．０＜ｆ１／ｆＷ＜３０．０                ・・・（４）
なる条件を満足している。
【００４７】
次に条件式（１）乃至（４）の技術的意味について説明する。条件式（１）の上限値を超えて負レンズの材料のアッベ数が大きくなると、色収差を補正するために、第１レンズ群Ｌ１内の接合レンズの接合レンズ面がきつくなる。接合レンズ面がきつくなると、レンズのコバが少なくなるため、レンズの加工条件を考慮すると、レンズ厚を厚くする必要がある。レンズ厚を厚くすると、広画角化を図る際、前玉有効径が増大し、全系の小型化が困難になる。
【００４８】
また、条件式（１）の下限値を超えて負レンズの材料のアッベ数が小さくなると、接合レンズ面が緩くなるため、全系の小型化には有利になるが、θｇＦ−νｄ図におけるノーマルラインよりも下側に現存する材料が少なくなる。
【００４９】
各実施例において、第１レンズＬ１はポジティブリードのズームレンズにおいて、収差補正に大変重要な役割を持っている。第１レンズ群Ｌ１にて発生した収差は、第１レンズ群Ｌ１以降で像面まで続く各レンズ群の横倍率分だけ収差が拡大されるため、第１レンズＬ１にて発生する収差を極力抑える必要がある。高ズーム比化により発生する軸上色収差を抑えるためには、θｇＦ−νｄ図において、第１レンズ群Ｌ１内の負レンズと正レンズの硝材を結んだ直線の傾きが緩やかなほど、軸上色収差の二次スペクトルを補正することができる。
【００５０】
条件式（２）、（３）は第１レンズ群Ｌ１内の負レンズの材料の部分分散比θｇＦを規定する。θｇＦ−νｄ図において条件式（２）の下限値を超えて部分分散比θｇＦが小さくなる領域に存在する材料が少なく良好なる色収差の補正が困難になる。条件式（３）の上限値を超えて部分分散比θｇＦが大きくなると、θｇＦ−νｄ図における、負レンズと正レンズの硝材を結ぶ直性が緩くできなくなり、軸上色収差の二次スペクトルが大きく残り、高ズーム比化を図りつつ高い光学性能を得るのが困難になる。
【００５１】
条件式（４）は第１レンズ群Ｌ１の焦点距離を規定する。条件式（４）の下限地をこえて第１レンズ群Ｌ１の焦点距離が小さくなると、第１レンズ群Ｌ１のパワー（焦点距離の逆数）が強くなりすぎ、望遠端において球面収差を補正することが困難となる。球面収差を補正するにはレンズの枚数を増やせば良いが、広画角化に対して、レンズ枚数が増えると第１レンズ群Ｌ１の有効径が大型化してくるので良くない。
【００５２】
条件式（４）の上限値を超えて第１レンズ群Ｌ１の焦点距離が大きくなると、第１レンズ群Ｌ１のパワーが弱くなり、球面収差の補正は有利となる。しかし、パワーが弱くなりすぎることで、広角端から望遠端までのズーミングに際しての第１レンズ群Ｌ１の移動量が大きくなり全系が大型化してくるので良くない。
【００５３】
以上のように各実施例によれば光学系全体が小型で、広画角かつ高ズーム比で、しかも全ズーム範囲にわたり高い光学性能が得られるズームレンズが得られる。
【００５４】
各実施例において更に好ましくは次の諸条件のうち１以上を満足するのが良い。広角端における第２レンズ群Ｌ２の横倍率をβ２Ｗ、望遠端における第２レンズ群Ｌ２の横倍率をβ２Ｔとする。広角端における第３レンズ群Ｌ３の横倍率をβ３Ｗ、望遠端における第３レンズ群Ｌ３の横倍率をβ３Ｔとする。第３レンズ群Ｌ３の焦点距離をｆ３とする。第１レンズ群Ｌ１の負レンズの材料の屈折率をｎｄとする。
【００５５】
第２レンズ群Ｌ２と第３レンズ群Ｌ３の間に開口絞りＳＰ１を有する。第２レンズ群Ｌ２の像側のレンズ面と開口絞りＳＰ１の広角端における間隔をＤ２、開口絞りＳＰ１と第３レンズ群Ｌ３の物体側のレンズ面との広角端における間隔をＤ３とする。
【００５６】
このとき次の条件式のうち１以上を満足するのが良い。
２．８＜（β２Ｔ・β３Ｗ）／（β２Ｗ・β３Ｔ）＜６．５  ・・・（５）
１．７５＜ｎｄ＜２．１０                                ・・・（６）
３．５＜ｆ３／ｆＷ＜６．５                              ・・・（７）
１．０＜Ｄ２／Ｄ３＜５．０                              ・・・（８）
次に前述の条件式（５）乃至（８）の技術的意味について説明する。
【００５７】
条件式（５）は第２レンズ群Ｌ２と第３レンズ群Ｌ３の変倍分担を規定している。軸上光線は第１レンズ群Ｌ１の正の屈折力にて集光し、第２レンズ群Ｌ２の負の屈折力により発散し、第３レンズ群Ｌ３の正の屈折力により再び集光するような光路をたどる。そのため軸上光線の入射高さは第１レンズ群Ｌ１に続き第３レンズ群Ｌ３が高くなる。条件式（５）の下限値を超えると、第３レンズ群Ｌ３の変倍分担が大きくなりすぎるため、変倍による第３レンズ群Ｌ３の移動量が大きくなる。そうすると、軸上色収差の変動が大きくなり好ましくない。
【００５８】
また、条件式（５）の上限値を超えると、第３レンズ群Ｌ３の変倍分担は小さくなる。そうすると変倍による第３レンズ群Ｌ３の移動量は少なくなり、軸上色収差の変動は小さくなるが、変倍分担が小さくなりすぎて、高ズーム比化を図るのが困難となる。
【００５９】
条件式（６）は第１レンズ群Ｌ１の負レンズの材料の屈折率を規定している。条件式（６）の上限値を超えて屈折率が大きくなると、第１レンズ群Ｌ１内の接合レンズの接合レンズ面の曲率が緩くなり小型化が容易になるが、現存するガラスが少なく、色収差の補正が困難になってくる。条件式（６）の下限値を超えて屈折率が小さくなると、第１レンズ群Ｌ１内の接合レンズの接合レンズ面の曲率がきつくなり、レンズ肉厚が増すため、全系が大型化してくる。
【００６０】
条件式（７）は第３レンズ群Ｌ３の屈折力を規定している。条件式（７）の上限値を超えて第３レンズ群Ｌ３の焦点距離が大きくなると、第３レンズ群Ｌ３の屈折力が小さくなりすぎ、変倍による第３レンズ群の移動量が大きくなる。そうするとレンズ全長が大きくなり、全系の小型化が困難になる。また、条件式（７）の下限値を超えて第３レンズ群Ｌ３の焦点距離が小さくなると、第３レンズ群Ｌ３の屈折力が大きくなり、変倍による第３レンズ群Ｌ３の移動量が小さくなるため全系の小型化には有利となる。しかしながら第３レンズ群Ｌ３にて球面収差やコマ収差の補正が困難となる。
【００６１】
このときの諸収差を補正するためにはレンズ枚数を増加する必要があり、そうすると全系が大型化するため良くない。
【００６２】
条件式（８）は広角端における、第２レンズ群Ｌ２と開口絞りＳＰ１との間隔、第３レンズ群Ｌ３と開口絞りＳＰ１と間隔を規定する。条件式（８）の上限値を超えて、第２レンズ群Ｌ２と開口絞りＳＰ１の間隔が長くなると、第２レンズ群Ｌ２を通る軸外光線の入射高さの変動が少なくなる。そうすると、第１レンズ群Ｌ１のレンズ外径を小さくすることができ、全系の小型化が容易になる。しかし、第３レンズ群Ｌ３を通る軸外光線の入射高さが高くなるため、第３レンズ群Ｌ３以降でコマ収差が多く発生してくる。
【００６３】
条件式（８）の下限値を超えて、第３レンズ群Ｌ３と開口絞りＳＰ１の間隔が長くなると第１レンズ群Ｌ１を通る光線の入射高さが高くなり、第１レンズ群Ｌ１が大型化してくる。
【００６４】
なお、各実施例において、好ましくは、条件式（１）乃至（８）の数値範囲を次の如くするのが良い。
３５．１＜νｄ＜４９．８                                ・・・（１ａ）
０．５３＜θｇＦ                                        ・・・（２ａ）
θｇＦ＜−０．００２０３×νｄ＋０．６５５              ・・・（３ａ）
１５．５＜ｆ１／ｆＷ＜２９．０                          ・・・（４ａ）
２．９＜（β２Ｔ・β３Ｗ）／（β２Ｗ・β３Ｔ）＜６．３  ・・・（５ａ）
１．７５＜ｎｄ＜２．００                                ・・・（６ａ）
４．０＜ｆ３／ｆＷ＜６．０                              ・・・（７ａ）
１．２＜Ｄ２／Ｄ３＜４．５                              ・・・（８ａ）
また、さらに好ましくは条件式（１ａ）乃至（８ａ）の数値範囲を次の如く設定すると、先に述べた各条件式が意味する効果を最大限に得られる。
３５．２＜νｄ＜４９．７                                ・・・（１ｂ）
０．５４＜θｇＦ                                        ・・・（２ｂ）
θｇＦ＜−０．００２０３×νｄ＋０．６５４１９          ・・・（３ｂ）
１５．７＜ｆ１／ｆＷ＜２８．０                          ・・・（４ｂ）
３．０＜（β２Ｔ・β３Ｗ）／（β２Ｗ・β３Ｔ）＜６．０  ・・・（５ｂ）
１．７７＜ｎｄ＜１．９５                                ・・・（６ｂ）
４．３＜ｆ３／ｆＷ＜５．５                              ・・・（７ｂ）
１．５＜Ｄ２／Ｄ３＜４．３                              ・・・（８ｂ）
特に本発明のズームレンズが物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、ズーミングに際して各レンズ群の間隔が変化するズームレンズにおいては、条件式（４）の数値範囲を次の如く設定するのが良い。
１８．６５７≦ｆ１／ｆＷ＜３０．０                      ・・・（４ｃ）
次に前述した以外の各実施例における好ましい構成について説明する。
【００６５】
第１レンズ群Ｌ１は負レンズを含む３つのレンズで構成されることが好ましい。レンズ系が広画角タイプの場合、軸外光線により第１レンズ群Ｌ１のレンズ外径が決まるため、第１レンズ群Ｌ１の構成レンズ枚数が少ないほど全系の小型化に有利である。また、高ズーム比化を図るためには、第１レンズ群Ｌ１の構成レンズ枚数が少なすぎると球面収差や軸上色収差を共に補正することが困難となる。そのため、広画角ズーム比化を実現するためには、第１レンズ群Ｌ１は負レンズを含む３つのレンズで構成することが好ましい。
【００６６】
具体的には、第１レンズ群Ｌ１を物体側より、像側へ順に負レンズ、正レンズ、正レンズから構成することが好ましい。また、第２レンズ群Ｌ２は、物体側より像側へ順に、負レンズ、負レンズ、正レンズを有することが望ましい。ズーミングに際して移動する第２レンズ群Ｌ２をこのようなレンズ構成にすることで、ズーミングに伴う倍率色収差の変動を抑制することが容易となる。第２レンズ群Ｌ２に続く第３レンズ群Ｌ３は正の屈折率を有している。
【００６７】
広角端において、軸上光束は負の屈折力の第２レンズ群Ｌ２を通過すると発散光束となるが、第２レンズ群Ｌ２に続く第３レンズ群を正の屈折力とすることで、光束に対して収斂作用を持たせ、後群のレンズ有効径を小さくすることが容易となる。また、第３レンズ群Ｌ３は物体側より正レンズ、負レンズ、負レンズと正レンズの接合レンズを有することが望ましい。
【００６８】
この構成はトリプレット型のレンズ系に１枚レンズを追加した、所謂テッサータイプと呼ばれ、トリプレット構成に１枚レンズを追加することにより、ペッツバール和を微調整することが容易となる。これにより、全ズーム領域において像面の平坦性を良好にすることが容易となる。ポジティブリードのズームレンズは広画角化するほど前玉有効径が大きくなり、小型化が困難となるが、第１レンズ群内の構成レンズ枚数を限定し、歪曲収差をある程度許容した電子収差補正を前提の構成とすれば広画角化に対する小型化が容易になる。
【００６９】
そこで本発明のズームレンズを固体撮像素子を有する撮像装置に適用するとき、歪曲収差を電気的に補正しても良い。これによれば歪曲収差以外の諸収差を良好に補正し、高ズーム比化による軸上色収差の二次スペクトルを補正し、高ズーム比、広画角、高性能である小型なズームレンズが得られる。
【００７０】
次に本発明のズームレンズを撮影光学系として用いたデジタルカメラ（撮像装置）の実施形態を図１５を用いて説明する。図１５において、２０はデジタルカメラ本体、２１は上述の各実施例のズームレンズによって構成された撮影光学系、２２は撮影光学系２１によって被写体像を受光するＣＣＤ等の撮像素子である。２３は撮像素子２２が受光した被写体像を記録する記録手段、２４は不図示の表示素子に表示された被写体像を観察するためのファインダーである。
【００７１】
上記表示素子は液晶パネル等によって構成され、撮像素子２２上に形成された被写体像が表示される。このように本発明のズームレンズをデジタルカメラ等に適用することにより、小型で高い光学性能を有する光学機器を実現している。各実施例のズームレンズは、ビデオカメラやクイックリターンミラーのないミラーレスの一眼レフカメラ等の撮影光学系にも同様に適用できる。
【００７２】
以下、実施例１〜４に対応する数値実施例１〜４の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。最も像側の２つの面はガラスブロックＧに相当している。非球面形状は光軸方向にＸ軸、光軸と垂直方向にＨ軸、光の進行方向を正としＲを近軸曲率半径、Ｋを円錐定数、Ａ４〜Ａ１２を各々非球面係数としたとき、
【００７３】
【数１】
0005656895.tif 000002
【００７４】
なる式で表している。
*は非球面形状を有する面を意味している。「ｅ−ｘ」は１０-xを意味している。ＢＦはバックフォーカスであり、ガラスブロックＧからの距離を示している。また、前述の各条件式と数値実施例との関係を（表１）に示す。
【００７５】
［数値実施例１］
単位 mm
面データ
面番号       r        d      nd         νd
1        119.576    1.00   1.83400    37.2           
2         51.419    5.60   1.43875    94.9           
3       -147.300    0.18                             
4         44.379    3.50   1.59282    68.6           
5        180.498  (可変)                             
6*       288.112    0.70   1.88300    40.8           
7*         8.444    4.74                             
8        -36.488    0.50   1.80400    46.6           
9         29.602    0.20                             
10         16.959    2.10   1.94595    18.0           
11         84.370  (可変)                             
12(絞り)    ∞     (可変)                             
13*        10.061    3.00   1.55332    71.7           
14*       -71.895    2.41                             
15         64.971    0.50   1.64769    33.8           
16         11.608    0.30                             
17         16.053    0.50   1.80400    46.6           
18          8.534    2.65   1.48749    70.2           
19        -27.107    0.30                             
20(メカ絞り) ∞     (可変)                             
21         62.247    0.50   1.48749    70.2           
22         26.036  (可変)                             
23         22.969    2.40   1.74950    35.3           
24        -28.878    0.50   1.94595    18.0           
25       -191.214  (可変)                             
26          ∞       0.80   1.51633    64.1           
27          ∞                                  
像面        ∞   
非球面データ
第6面
K =-9.14422e+003  A 4= 2.34814e-005  A 6= 9.69906e-008  A 8=-5.04619e-009
A10= 2.35248e-011  A12= 3.48194e-014  
第7面
K = 3.26999e-002  A 4=-4.15397e-005  A 6= 1.45953e-006  A 8=-1.43685e-008
A10=-1.78519e-010  A12=-4.13256e-012  
第13面
K =-2.41375e-001  A 4=-3.45832e-005  A 6= 2.31336e-007  A 8=-8.42476e-009
A10= 2.62605e-010  
第14面
K = 1.13438e+002  A 4= 1.01182e-004  A 6= 9.37832e-007  
各種データ
ズーム比     48.37 
広角     中間     望遠
焦点距離       4.30    13.31   208.00  
Fナンバー      2.87     5.00     7.07  
半画角（度）  37.77    16.23     1.07  
像高           3.33     3.88     3.88  
レンズ全長    94.61    94.08   138.53  
BF             1.00     1.00     1.00  
d 5            0.78    17.42    63.13  
d11           34.14    13.08     1.03  
d12           10.29     3.45    -0.50  
d20            2.19     2.25     7.47  
d22            4.80     6.51    25.90  
d25            9.05    17.99     8.12  
ズームレンズ群データ
群  始面    焦点距離  
1    1      80.24  
2    6      -9.34  
3   12       ∞    
4   13      19.93  
5   21     -92.22  
6   23      32.44  
7   26       ∞    
【００７６】
［数値実施例２］
単位 mm
面データ
面番号       r        d      nd         νd
1        118.968    1.00   1.83400    37.2           
2         51.380    5.65   1.43875    94.9           
3       -145.612    0.18                             
4         44.412    3.60   1.59282    68.6           
5        180.136  (可変)                             
6*       312.978    0.70   1.88300    40.8           
7*         8.452    4.72                             
8        -36.104    0.50   1.80400    46.6           
9         28.730    0.20                             
10         16.966    2.00   1.94595    18.0           
11         86.851  (可変)                             
12(絞り)    ∞     (可変)                             
13*        10.061    3.05   1.55332    71.7           
14*       -71.895    2.09                             
15         62.759    0.50   1.64769    33.8           
16         11.893    0.28                             
17         16.708    0.50   1.80400    46.6           
18          8.677    2.50   1.48749    70.2           
19        -24.962    0.30                             
20        190.183    0.50   1.43875    94.9           
21         35.988    0.50                             
22(メカ絞り) ∞     (可変)                             
23         24.738    2.50   1.74950    35.3           
24        -26.797    0.50   1.94595    18.0           
25       -148.041  (可変)                             
26          ∞       0.80   1.51633    64.1           
27          ∞                               
像面        ∞   
非球面データ
第6面
K =-1.98055e+004  A 4= 2.87252e-005  A 6= 1.63101e-007  A 8=-8.77304e-009
A10= 4.35048e-011  A12= 8.01470e-014  
第7面
K = 1.02030e-001  A 4=-7.75234e-005  A 6= 2.87946e-006  A 8=-4.23726e-008
A10=-5.29929e-010  A12=-1.95533e-012  
第13面
K =-1.27865e-001  A 4=-1.27208e-005  A 6=-1.13483e-006  A 8= 4.58871e-009
A10= 2.62605e-010  
第14面
K = 7.20097e+001  A 4= 1.32020e-004  A 6=-6.91235e-007  
各種データ
ズーム比     48.38 
広角     中間     望遠
焦点距離       4.30    13.09   208.05  
Fナンバー      2.87     5.00     7.07  
半画角（度）  37.77    16.49     1.07  
像高           3.33     3.88     3.88  
レンズ全長    95.04    94.82   139.16  
BF             1.00     1.00     1.00  
d 5            0.78    17.45    63.11  
d11           34.11    12.46     0.89  
d12           10.06     4.14    -0.50  
d22            7.60     9.50    33.82  
d25            8.92    17.70     8.28  
ズームレンズ群データ
群  始面    焦点距離  
1    1      79.91  
2    6      -9.23  
3   12       ∞    
4   13      22.13  
5   23      34.06  
6   26       ∞    
【００７７】
［数値実施例３］
単位 mm
面データ
面番号       r        d      nd         νd
1        118.790    1.00   1.83400    37.2           
2         51.310    5.62   1.43875    94.9           
3       -145.430    0.18                             
4         44.310    3.55   1.59282    68.6           
5        180.001  (可変)                             
6*       332.325    0.70   1.88300    40.8           
7*         8.486    4.62                             
8        -35.399    0.50   1.80400    46.6           
9         27.806    0.20                             
10         16.853    2.00   1.94595    18.0           
11         89.438  (可変)                             
12(絞り)    ∞     (可変)                             
13*        10.061    3.22   1.55332    71.7           
14*       -71.895    1.97                             
15         58.564    0.50   1.64769    33.8           
16         11.811    0.28                             
17         16.608    0.50   1.80400    46.6           
18          8.596    2.46   1.48749    70.2           
19        -27.078    0.30                             
20       -540.752    0.50   1.43875    94.9           
21         36.319    0.50                             
22(メカ絞り) ∞     (可変)                             
23        200.000    1.50   1.48749    70.2           
24       -200.000  (可変)                             
25         25.254    2.50   1.74950    35.3           
26        -27.317    0.50   1.94595    18.0           
27       -155.218  (可変)                             
28          ∞       0.80   1.51633    64.1           
29          ∞                                 
像面        ∞   
非球面データ
第6面
K =-2.05910e+004  A 4= 1.58190e-005  A 6= 3.17106e-007  A 8=-9.00913e-009
A10= 4.15788e-011  A12= 6.89800e-014  
第7面
K = 2.35040e-002  A 4=-6.33194e-005  A 6= 2.72212e-006  A 8=-2.88296e-008
A10=-6.46788e-010  A12= 3.29283e-012  
第13面
K =-4.36459e-001  A 4=-4.15458e-006  A 6=-6.98365e-008  A 8=-1.61017e-008
A10= 2.62605e-010  
第14面
K = 1.42167e+002  A 4= 1.17667e-004  A 6= 5.97043e-007  
各種データ
ズーム比     48.33 
広角     中間     望遠
焦点距離       4.30    13.22   208.03  
Fナンバー      2.87     5.00     7.07  
半画角（度）  37.75    16.34     1.07  
像高           3.33     3.88     3.88  
レンズ全長    96.08    95.89   140.54  
BF             1.00     1.00     1.00  
d 5            0.78    17.44    62.98  
d11           34.44    12.62     0.89  
d12            9.94     3.83    -0.50  
d22            1.89     2.36     2.76  
d24            5.10     6.55    30.66  
d27            9.02    18.18     8.84  
ズームレンズ群データ
群  始面    焦点距離  
1    1      79.72  
2    6      -9.18  
3   12       ∞    
4   13      23.55  
5   23     205.38  
6   25      34.97  
7   28       ∞    
【００７８】
［数値実施例４］
単位 mm
面データ
面番号       r        d      nd         νd
1        109.862    0.50   1.88300    40.8           
2         49.564    6.70   1.59282    68.6           
3      -1412.227    0.18                             
4         45.784    4.00   1.43875    94.9           
5        223.283  (可変)                             
6*       685.261    0.50   1.88300    40.8           
7*         8.346    5.69                             
8        -43.814    0.50   1.77250    49.6           
9         28.099    0.20                             
10         17.969    2.40   2.00178    19.3           
11         77.754  (可変)                             
12(絞り)    ∞     (可変)                             
13*         9.226    3.00   1.55332    71.7           
14*       -94.279    1.25                             
15         40.039    0.50   1.64769    33.8           
16         10.107    0.40                             
17         12.963    0.50   1.80400    46.6           
18          7.370    3.45   1.48749    70.2           
19        -25.998    0.30                             
20(メカ絞り) ∞     (可変)                             
21         48.687    0.50   1.48749    70.2           
22         16.141  (可変)                             
23         21.359    2.05   1.78590    44.2           
24        -48.900    0.50   1.94595    18.0           
25       -407.414  (可変)                             
26          ∞       0.80   1.51633    64.1           
27          ∞                              
像面        ∞   
非球面データ
第6面
K = 3.17593e+003  A 4= 1.23111e-005  A 6= 3.78879e-008  A 8=-8.77141e-011
第7面
K =-8.83033e-004  A 4=-1.34925e-005  A 6=-3.39607e-007  A 8=-5.98988e-009
第13面
K =-2.95489e-001  A 4=-7.85697e-005  A 6=-6.47947e-007  A 8=-1.51573e-008
A10= 2.62605e-010  
第14面
K =-1.48533e+002  A 4=-9.95689e-006  A 6=-7.51143e-007  
各種データ
ズーム比     66.08 
広角     中間     望遠
焦点距離       3.63    14.22   240.00  
Fナンバー      2.87     5.00     8.50  
半画角（度）  41.87    15.24     0.93  
像高           3.25     3.88     3.88  
レンズ全長    94.06    94.91   160.39  
BF             1.00     1.00     1.00  
d 5            0.50    19.82    76.77  
d11           27.68     9.14     0.98  
d12           17.41     2.50     0.03  
d20            1.63     2.09    14.83  
d22            2.76     7.08    28.23  
d25            9.16    19.36     4.63  
ズームレンズ群データ
群  始面    焦点距離  
1    1      98.00  
2    6      -9.32  
3   12       ∞    
4   13      17.90  
5   21     -49.78  
6   23      27.88  
7   26       ∞    
【００７９】
［数値実施例５］
単位 mm
面データ
面番号       r        d      nd         νd
1         86.882    0.50   1.91082    35.3           
2         51.691    6.00   1.59282    68.6           
3        963.636    0.18                             
4         49.891    4.00   1.43875    94.9           
5        183.284  (可変)                             
6*       726.742    0.50   1.88300    40.8           
7*         8.360    5.72                             
8        -44.450    0.50   1.77250    49.6           
9         28.115    0.20                             
10         17.990    2.40   2.00178    19.3           
11         74.295  (可変)                             
12(絞り)    ∞     (可変)                             
13*         9.227    3.00   1.55332    71.7           
14*      -103.260    1.27                             
15         39.464    0.50   1.64769    33.8           
16         10.110    0.41                             
17         12.947    0.50   1.80400    46.6           
18          7.367    3.45   1.48749    70.2           
19        -25.430    0.30                             
20(メカ絞り) ∞     (可変)                             
21         55.380    0.50   1.48749    70.2           
22         16.631  (可変)                             
23         21.959    2.40   1.78590    44.2           
24        -41.142    0.50   1.94595    18.0           
25       -193.394  (可変)                             
26          ∞       0.80   1.51633    64.1           
27          ∞                                
像面        ∞   
非球面データ
第6面
K = 3.42120e+003  A 4= 9.83645e-006  A 6= 4.89616e-008  A 8=-1.11774e-010
第7面
K =-2.22371e-002  A 4=-1.79532e-005  A 6=-1.75865e-007  A 8=-6.59089e-009
第13面
K =-3.59693e-001  A 4=-7.27635e-005  A 6=-5.90525e-007  A 8=-1.58851e-008
A10= 2.62605e-010  
第14面
K =-1.82579e+002  A 4=-1.38626e-005  A 6=-8.27199e-007  
各種データ
ズーム比     66.01 
広角     中間     望遠
焦点距離       3.64    14.27   240.13  
Fナンバー      2.87     5.00     8.45  
半画角（度）  41.82    15.20     0.92  
像高           3.25     3.88     3.88  
レンズ全長    94.11    94.86   160.30  
BF             1.00     1.00     1.00  
d 5            0.50    20.23    76.83  
d11           27.83     9.59     0.96  
d12           17.51     1.93     0.34  
d20            1.37     1.96    14.87  
d22            3.36     7.36    28.38  
d25            8.91    19.16     4.29  
ズームレンズ群データ
群  始面    焦点距離  
1    1      99.00  
2    6      -9.27  
3   12       ∞    
4   13      17.88  
5   21     -48.96  
6   23      27.25  
7   26       ∞    
【００８０】
［数値実施例６］
単位 mm
面データ
面番号       r        d      nd         νd
1        262.209    1.00   1.78590    44.2           
2         47.612    5.65   1.43875    94.9           
3        -98.945    0.18                             
4         42.885    3.59   1.59282    68.6           
5        342.030  (可変)                             
6*       125.953    0.70   1.88300    40.8           
7*         9.026    4.44                             
8        -38.558    0.50   1.80400    46.6           
9         27.148    0.20                             
10         16.509    1.99   1.94595    18.0           
11         68.374  (可変)                             
12(絞り)    ∞     (可変)                             
13*        10.061    3.05   1.55332    71.7           
14*       -71.895    2.31                             
15         59.518    0.50   1.64769    33.8           
16         10.770    0.34                             
17         15.396    0.50   1.80400    46.6           
18          9.238    2.51   1.48749    70.2           
19        -25.081    0.30                             
20         56.887    0.50   1.43875    94.9           
21         20.470    0.50                             
22(メカ絞り) ∞     (可変)                             
23         23.391    2.50   1.74950    35.3           
24        -34.948    0.50   1.94595    18.0           
25       -918.133  (可変)                             
26          ∞       0.80   1.51633    64.1           
27          ∞                                
像面        ∞   
非球面データ
第6面
K =-2.01275e+003  A 4=-4.89447e-006  A 6= 2.50372e-007  A 8=-1.49251e-010
A10= 1.23962e-012  A12=-1.37109e-013  
第7面
K =-1.63287e-001  A 4=-9.18471e-005  A 6= 4.15384e-006  A 8=-4.91870e-008
A10= 3.31638e-010  A12= 4.38668e-012  
第13面
K =-4.18355e-001  A 4=-1.90497e-005  A 6=-7.97423e-007  A 8=-5.24526e-009
A10= 2.62605e-010  
第14面
K = 6.57742e+001  A 4= 7.86226e-005  A 6=-7.15686e-007  
各種データ
ズーム比     44.60 
広角     中間     望遠
焦点距離       4.67    14.90   208.16  
Fナンバー      2.87     5.00     7.07  
半画角（度）  35.52    14.58     1.07  
像高           3.33     3.88     3.88  
レンズ全長    95.65    95.39   140.57  
BF             1.00     1.00     1.00  
d 5            0.78    17.21    63.10  
d11           35.60    14.15     0.90  
d12            9.44     2.18    -0.50  
d22            6.52     8.73    35.53  
d25            9.74    19.55     7.97  
ズームレンズ群データ
群  始面    焦点距離  
1    1      79.69  
2    6     -10.04  
3   12       ∞    
4   13      22.72  
5   23      36.16  
6   26       ∞    
【００８１】
［数値実施例７］
単位 mm
面データ
面番号       r        d      nd         νd
1       -975.672    1.00   1.77250    49.6           
2         45.153    5.65   1.43875    94.9           
3        -68.433    0.18                             
4         40.765    3.60   1.59282    68.6           
5        609.699  (可変)                             
6*       107.660    0.70   1.88300    40.8           
7*         9.088    3.96                             
8        -38.292    0.50   1.80400    46.6           
9         26.971    0.20                             
10         16.374    2.00   1.94595    18.0           
11         65.276  (可変)                             
12(絞り)    ∞     (可変)                             
13*        10.061    3.05   1.55332    71.7           
14*       -71.895    2.11                             
15         69.831    0.50   1.64769    33.8           
16         11.411    0.49                             
17         17.873    0.50   1.80400    46.6           
18          9.330    2.50   1.48749    70.2           
19        -23.140    0.30                             
20         53.117    0.50   1.43875    94.9           
21         28.193    0.50                             
22(メカ絞り) ∞     (可変)                             
23         25.930    2.50   1.74950    35.3           
24        -41.759    0.50   1.94595    18.0           
25      -1399.794  (可変)                             
26          ∞       0.80   1.51633    64.1           
27          ∞                                
像面        ∞   
非球面データ
第6面
K =-1.76248e+003  A 4=-2.80044e-005  A 6= 2.22187e-007  A 8=-1.80228e-009
A10= 4.80830e-011  A12=-4.13508e-013  
第7面
K =-4.06661e-002  A 4=-1.77312e-004  A 6= 5.61695e-006  A 8=-9.71172e-008
A10=-6.78428e-011  A12= 1.72137e-011  
第13面
K =-2.83568e-001  A 4=-8.12629e-005  A 6=-5.37070e-007  A 8=-1.79756e-008
A10= 2.62605e-010  
第14面
K =-6.48590e+001  A 4=-2.45025e-005  A 6=-5.22682e-007  
各種データ
ズーム比     41.20 
広角     中間     望遠
焦点距離       5.05    16.05   208.00  
Fナンバー      2.87     5.00     7.07  
半画角（度）  33.43    13.57     1.07  
像高           3.33     3.88     3.88  
レンズ全長    97.28    97.14   142.60  
BF             1.00     1.00     1.00  
d 5            0.78    18.19    64.46  
d11           35.93    13.90     0.90  
d12            8.70     1.42    -0.49  
d22           11.05    10.26    37.47  
d25            7.80    20.34     7.23  
ズームレンズ群データ
群  始面    焦点距離  
1    1      80.13  
2    6     -10.19  
3   12       ∞    
4   13      22.29  
5   23      39.94  
6   26       ∞    
【００８２】
【表１】
0005656895.tif 000003
【符号の説明】
【００８３】
Ｌ１  第１レンズ群      Ｌ２  第２レンズ群      Ｌ３  第３レンズ群
Ｌ４  第４レンズ群      Ｌ５  第５レンズ群      ＬＲ  後群
【図１】
0005656895.tif 000004
【図２】
0005656895.tif 000005
【図３】
0005656895.tif 000006
【図４】
0005656895.tif 000007
【図５】
0005656895.tif 000008
【図６】
0005656895.tif 000009
【図７】
0005656895.tif 000010
【図８】
0005656895.tif 000011
【図９】
0005656895.tif 000012
【図１０】
0005656895.tif 000013
【図１１】
0005656895.tif 000014
【図１２】
0005656895.tif 000015
【図１３】
0005656895.tif 000016
【図１４】
0005656895.tif 000017
【図１５】
0005656895.tif 000018